(57)【要約】【課題】手術前に行われる衛生的手洗いの実施率を高めるとともにコストを低減する。【解決手段】手指の皮膚部及び爪部にそれぞれ対応する平均繊度を有する２枚のカードウェブ２、３を積層一体化して構成される不織布からなる医療用洗浄布１を製作する。【選択図】図１
2007125204.tif 000002
【特許請求の範囲】
【請求項１】
異なる平均繊度を有する２枚のカードウェブを積層し、それぞれの繊維を交絡一体化して構成される不織布からなる医療用洗浄布であって、
一方のカードウェブの平均繊度は１〜４ dｔexであり、他方のカードウェブの平均繊度は５〜１０ dｔexであることを特徴とする医療用洗浄布。
【請求項２】
前記２枚のカードウェブはポリエステル繊維を５０重量％以上含有することを特徴とする請求項１に記載の医療用洗浄布。
【請求項３】
前記医療用洗浄布の表面にアクリル樹脂が塗布されていることを特徴とする請求項１又は２に記載の医療用洗浄布。
【請求項４】
前記医療用洗浄布の平均密度は0.01〜0.05 g/ccであることを特徴とする請求項１〜３のいずれかに記載の医療用洗浄布。
【請求項５】
前記医療用洗浄布は消毒薬を含侵することを特徴とする請求項１〜４のいずれかに記載の医療用洗浄布。
【発明の詳細な説明】
【技術分野】
【０００１】
本発明は医療用の洗浄布に関し、特に手術前において医療関係者が手指を洗浄する際に用いる洗浄布に関する。
【背景技術】
【０００２】
医療現場において手洗いは衛生管理の基本的な手段であり、医療関係者により日常的に励行されているが、特に手術前においては手術中の感染症を予防するために衛生的な手洗いを行うことが定められている（非特許文献１を参照）。
【０００３】
この衛生的な手洗いは、手指に存在する細菌をできるだけ減少させ又は除去することを目的としているため、洗浄成分を含有する消毒薬（例えば、クロルヘキシジンやポピドンヨードなど）を用いて、ブラシにより手指を十分にブラッシングする方法が伝統的に行われている。
【非特許文献１】医療法施行規則第２０条３号
【発明の開示】
【発明が解決しようとする課題】
【０００４】
しかし、上記のようなブラシを用いる伝統的な手洗い方法では、ブラッシングによる手指の皮膚表面の損傷が手荒れなどを招き、かつ手洗いに時間を要するため、衛生的な手洗いの実施率を低下させるという問題があった。特に、手荒れを起こした手指は、皮膚表面に無数の小膿瘍を形成し、手指上の細菌数の増加をもたらすという新たな問題を引き起こしていた。
【０００５】
また、ブラシを再利用するため、使用後のブラシの洗浄、乾燥及び滅菌などが必要となり、手洗いにかかるコストが高くなるという問題もあった。
【０００６】
本発明は、このような問題点に鑑みてなされたものであり、手荒れが発生することなく、短時間で効率よく手指を衛生的に洗浄することができ、なおかつコストが低い医療用の洗浄布とその供給装置を提供することを目的とするものである。
【課題を解決するための手段】
【０００７】
上記の目的を達成するための本発明は、異なる繊度を有する２枚のカードウェブを積層し、それぞれの繊維を交絡一体化して構成される不織布からなる医療用洗浄布であって、一方のカードウェブの平均繊度は１〜４ dｔexであり、他方のカードウェブの平均繊度は５〜１０ dｔexであることを特徴とする医療用洗浄布である。
【０００８】
このような構成により、手術前に行われる衛生的な手洗いにおいて皮膚部と爪部のそれぞれについて効果的な洗浄を行うことができる。また、医療用洗浄布を使い捨てして焼却処理することにより、低コストで衛生的な手洗いを実現することができる。
【０００９】
また、２枚のカードウェブは疎水性繊維であるポリエステル繊維を５０％以上含有することにより、手洗い時に濡れた状態であっても、医療用洗浄布に適当な大きさの厚みを与えることができる。
【００１０】
前記医療用洗浄布の表面を樹脂、例えばアクリル樹脂など、により被覆して繊維同士を接着することにより、洗浄時において繊維が脱落するのを防止することができる。
【００１１】
また、前記医療用洗浄布の平均密度を0.01〜0.05 g/cc とすることにより、上記の樹脂加工を均一に行うとともに洗浄性を良好に保つことができる。
【００１２】
更に、あらかじめ医療用洗浄布に消毒薬を含侵しておくことにより、手洗いを効率的に行うことができ、洗浄時間を短縮することができる。なお、消毒薬としては、洗浄成分を有する消毒薬であることが望ましい。
【発明の効果】
【００１３】
本発明においては、手指の皮膚部及び爪部のそれぞれの洗浄に対応する平均繊度を有する２枚のカードウェブを積層し、それぞれの繊維を交絡一体化して構成される不織布からなる医療用洗浄布を製作した。
【００１４】
それにより、手術前の衛生的な手洗いにおいて手指の手荒れをなくすとともに、手洗いにかかる時間を短縮できるため、衛生的な手洗いの実施率を向上し、手指上の細菌数の増加を防ぐことができる。
【００１５】
また、この医療用洗浄布は従来のブラシに比べて安価であり使い捨てができるとともに、焼却処分が可能であるため、衛生的な手洗いにかかるコストを低減することができる。
【発明を実施するための最良の形態】
【００１６】
本発明の実施の形態について、図面を参照して説明する。
本発明に係る医療用の洗浄布（以下、「洗浄布」という。）を図１に示す。図１は洗浄布の斜視図を示したものである。
【００１７】
洗浄布１は、構成繊維の平均繊度が異なる２枚のカードされた繊維ウェブ（カードウェブ）２、３を積層して、それぞれの繊維を交絡一体化することにより構成された不織布からなるものである。
【００１８】
洗浄布１の全体の形状は、薄い平板状の長方形となっており、その大きさは成人の手のひらとほぼ同じであることが望ましいが、必ずしもそれに限定されるものではない。
【００１９】
カードウェブ２、３の繊維層の厚さ及び重量は必ずしも同じである必要はないが、両者とも洗浄布１が手洗い時に濡れた状態にあっても適当な厚みを保持するように疎水性繊維であるポリエステル繊維を少なくとも５０重量％以上含有する必要がある。
【００２０】
なお、疎水性繊維としては他にポリプロピレン繊維等もあるが、以下に述べる樹脂による表面被覆において繊維と樹脂の接着性が悪くなるため適当ではない。
【００２１】
これらのカードウェブ２、３の繊維を交絡一体化する方法としては、洗浄布１に適度な大きさの厚みを与えられるように、ニードルパンチ法によることが望ましい。
【００２２】
２枚のカードウェブ２、３のうち、一方のカードウェブ２は繊度が比較的小さく、手で触ると滑らかな感じを与える面２ａ（以下、「滑らかな面」という。）を形成する。また、他方のカードウェブ３は繊度が比較的大きく、手で触ると粗い感じを与える面３ａ（以下、「粗い面」という。）を形成する。
【００２３】
手指の衛生的な洗浄は、主に皮膚の部分と爪の部分とに分けて行われる。従って、滑らかな面２ａは皮膚部の洗浄に、粗い面３ａは爪部の洗浄に、それぞれ用いられる。
【００２４】
そのため、滑らかな面２ａにより皮膚のシワの間を十分に洗浄できるように、カードウェブ２の平均繊度は１〜４ dｔex、好ましくは２．５〜３．５ dｔex の範囲にあることが必要である。
【００２５】
また、粗い面３ａにより爪と指肉との間を十分に洗浄できるように、カードウェブ３の繊度は５〜１０ dｔex、好ましくは６〜８ dｔex の範囲にあることが必要である。
【００２６】
更に、洗浄時において洗浄布１からの繊維の脱落を防止するため、洗浄布１の表面を、好ましくはその内部まで、樹脂により被覆して繊維同士を接着しておくことが好ましい。この被覆方法については、柔軟性及びコストの面からアクリル樹脂をスプレー等により吹き付ける方法を用いるのがよい。
【００２７】
なお、洗浄性を良好に保つためには、洗浄布１の平均密度を0.01〜0.05 g/cc とすることが望ましい。
【００２８】
このような構造を有する洗浄布の使用方法を以下に説明する。
まず、洗浄布１の滑らかな面２ａの面に消毒薬をつけて手指の皮膚部分を洗浄する。このとき、滑らかな面２ａが洗浄布１のどちらの面にあるかは、触わったときの感覚や目視により容易に確認することができる。
【００２９】
次に、洗浄布１の粗い面３ａの面を用いて、爪部の洗浄を行う。このとき、爪と指肉との間が十分に洗浄できるように、片方の手のひらで洗浄布を凹状にして、その内側にもう片方の爪部を入れてこすり回すようにして洗浄するとよい。
【００３０】
使用後の洗浄布１はそのまま廃棄され、可燃性であるため焼却処分が可能である。そのため、従来のブラシのように再利用の必要がないためコストを低減できるとともに、衛生的にも優れている。
【００３１】
なお、洗浄成分を含有する消毒薬をあらかじめ洗浄布１に含浸させておくことにより、洗浄時間を短縮することができる。
【００３２】
上記の洗浄布１は、衛生的な手洗いの現場においてスムーズに手洗い者に供給される必要があるため、実際の使用に際しては、例えば図２に示すような専用の供給装置が用いられる。
【００３３】
この供給装置は、洗浄布を収納する直方体の本体１０と、その底部に接続された洗浄布の取り出し機２０から構成され、洗浄布１は正面に開閉自在に設けられた前面扉１１を通じて、本体１０内に積層された状態で収納される。前面扉１１は外枠１２に透明樹脂によるのぞき窓１１が嵌め込まれた構造になっており、収納されている洗浄布１の残量を外部から容易に確認できるようになっている。
【００３４】
取り出し機２０においては、手前に突出するように設けられた湾曲部２１に設けられた取出口２２から本体内の洗浄布１を１枚ずつ取り出すようになっている。
【００３５】
この取り出し機２０の機構は通常知られたものでよく、例えば図３の断面図に示すものでは、手洗い者が洗浄布１aの端を下へ引っ張ると駆動モーター２４のマイクロスイッチ２６が押され、搬送ローラー２３の回転により次の洗浄布１ｂが湾曲部２１へ搬送され、取出口２２から数ｃｍ程度出たところで電源タイマー２５により停止するようになっている。
【００３６】
このような供給装置を用いることにより、複数の手洗い者に洗浄布１を衛生的な状態で提供することができる。
【００３７】
なお、本発明に係る洗浄布は、医療現場のみならず食品衛生等の現場においても使用できることはいうまでもない。
【図面の簡単な説明】
【００３８】
【図１】本発明にかかる医療用洗浄布の斜視図である。
【図２】医療用洗浄布の供給装置の斜視図である。
【図３】医療用洗浄布の供給装置の断面図である。
【符号の説明】
【００３９】
１  医療用洗浄布
２  繊度が比較的小さいカードウェブ
２ａ  滑らかな面
３  繊度が比較的大きいカードウェブ
３ａ  粗い面
１０  本体
１１  前面扉
１２  外枠
１３  のぞき窓
２０  取り出し機
２１  湾曲部
２２  取出口
２３  搬送ローラー
２４  駆動モーター
２５  通電タイマー
２６  マイクロスイッチ
２７  外側ガイド板
２８  内側ガイド板
２９  伝達ベルト
【図１】
2007125204.tif 000003
【図２】
2007125204.tif 000004
【図３】
2007125204.tif 000005